(57)【要約】【課題】製造が容易で小型化可能であり、歩留まりの向上を図れる共振器、フィルタ回路素子、これを備えた回路基板並びに回路モジュールを提供する。【解決手段】第１共振器123の帯状電極123aに静電容量結合するように積層して配置された開放端部をなす共振器電極122aと、第３共振器124の帯状電極124aに静電容量結合するように積層して配置された開放端部をなす共振器電極122bと、共振器電極122a,122bの他端部に一端が導電接続され、他端が接地端子103に導電接続された共振器電極122cとからなる変形共振器122を備えたフィルタ回路素子100を構成する。これにより、共振器の数を１つ減らすことができるとともに共振器同士を結合させるための結合電極を設ける必要がないので、フィルタ回路素子100の小型化、製造の容易性、歩留まりの向上を図ることができる。【選択図】図３
2010041268.tif 000002
【特許請求の範囲】
【請求項１】
絶縁体平面上に設けられた所定厚さの導電体によって形成される共振器であって、
２つ以上の開放端と、１つ以上で且つ開放端数以下の数の接地端とを有する
ことを特徴とする共振器。
【請求項２】
前記開放端部を形成する導電体は長手方向が互いに平行になるように配置され、
前記接地端部を形成する導電体は長手方向が前記開放端部の長手方向に平行になるように配置され、
前記開放端部を形成する導電体と前記接地端部を形成する導電体は、前記開放端部を形成する導電体の間に前記接地端部を形成する導電体が位置するように配置されて互いに導電接続されている
ことを特徴とする請求項１に記載の共振器。
【請求項３】
絶縁体からなる積層素体の内部に設けられたフィルタ回路を構成する１つ以上の導電体と、前記積層素体の外部に設けられた外部電極とを有するフィルタ回路素子であって、
前記積層素体内部の所定層に設けられた導電体によって形成され、２つ以上の開放端と、１つ以上で且つ開放端数以下の数の接地端とを有する変形共振器を１つ以上備えている
ことを特徴とするフィルタ回路素子。
【請求項４】
２つの開放端を有する１つの前記変形共振器と、
一方の入出力端子となる外部電極と前記変形共振器の一方の開放端部とを導電接続する導電体と、
他方の入出力端子となる外部電極と前記変形共振器の他方の開放端部とを導電接続する導電体とを備えている
ことを特徴とする請求項３に記載のフィルタ回路素子。
【請求項５】
前記変形共振器の開放端部を形成する導電体は長手方向が互いに平行になるように配置され、
前記変形共振器の接地端部を形成する導電体は長手方向が前記開放端部の長手方向に平行になるように配置され、
前記開放端部を形成する導電体と前記接地端部を形成する導電体は、前記開放端部を形成する導電体の間に前記接地端部を形成する導電体が位置するように配置されて互いに導電接続されている
ことを特徴とする請求項３に記載のフィルタ回路素子。
【請求項６】
前記積層素体内部の所定層に設けられて所定周波数に共振する導電体からなり、入出力端子となる外部電極に導電接続された共振器を有し、
前記共振器は、前記変形共振器の所定の開放端部に対して絶縁体を挟んで積層され、該開放端部と静電容量結合するように配置されている
ことを特徴とする請求項３に記載のフィルタ回路素子。
【請求項７】
入出力端子となる外部電極と前記共振器が所定のインダクタンスを有する導電体によって導電接続されている
ことを特徴とする請求項６に記載のフィルタ回路素子。
【請求項８】
２つの開放端を有する１つの前記変形共振器と、
前記変形共振器の２つの開放端部のそれぞれに対応して設けられた２つの前記共振器と、
一端部が前記変形共振器の一方の開放端部に対して絶縁体を挟んで積層され該一方の開放端部と静電容量結合し且つ他端部が前記変形共振器の他方の開放端部に対して絶縁体を挟んで積層され該他方の開放端部と静電容量結合するように前記積層素体内部の所定層に配置された導電体からなるマルチパス電極とを備えている
ことを特徴とする請求項６又は請求項７に記載のフィルタ回路素子。
【請求項９】
前記一方の共振器に対して絶縁体を挟んで前記積層素体内部の所定層に積層されて該一方の共振器と静電容量結合するように配置されるとともに接地用の外部電極に導電接続された導電体からなる第１の波長短縮電極と、
前記他方の共振器に対して絶縁体を挟んで前記積層素体内部の所定層に積層されて該他方の共振器と静電容量結合するように配置されるとともに接地用の外部電極に導電接続された導電体からなる第２の波長短縮電極とを備えている
ことを特徴とする請求項８に記載のフィルタ回路素子。
【請求項１０】
前記請求項３乃至請求項９の何れかに記載のフィルタ回路素子が一体形成されている
ことを特徴とする回路基板。
【請求項１１】
前記請求項３乃至請求項９の何れかに記載のフィルタ回路素子が一体形成されている
ことを特徴とする回路モジュール。
【発明の詳細な説明】
【技術分野】
【０００１】
本発明は、主にマイクロ波帯を使用した小型無線機器の積層誘電体フィルタにおいてその小型化及び内部構造の簡略化を図れる共振器と、これを用いたフィルタ回路素子、これを備えた回路基板並びに回路モジュールに関するものである。
【背景技術】
【０００２】
近年より、急速に利用が高まっている小型無線機器において、それらに使用される積層誘電体フィルタに求められる性能としては小型であり、低挿入損失、高減衰、また製造の観点で言えば作りやすさなどが求められている。このような状況において、積層誘電体フィルタでは高減衰化、広帯域化を実現する手法の一つとして、共振器を複数用いる「多段化」という手法が知られている。
【０００３】
このような多段化の手法を用いたフィルタとしては、例えば特開２０００−３２３９０８号公報（特許文献１）に開示される積層型ＬＣフィルタ、特開２００７−２０８３９５号公報（特許文献２）に開示される高周波フィルタが知られている。
【０００４】
特許文献１に開示される積層型ＬＣフィルタは、減衰特性におけるポール位置を容易に調整することができるようにしたもので、図４５に示すように、ＬＣフィルタ１０は、三つのＬＣ共振器１１ａ，１１ｂ，１１ｃを備えており、隣接するＬＣ共振器１１ａ，１１ｂ並びにＬＣ共振器１１ｂ，１１ｃは、コンデンサパターン１２ａ，１２ｂ，１２ｃとこれらコンデンサパターン１２ａ，１２ｂ，１２ｃに対向している結合コンデンサパターン１３ａ，１３ｂとで形成する結合コンデンサによって結合している。また、ポール調整用パターン１４は結合コンデンサ１３ａ，１３ｂに対向し、両者間に静電容量が発生している。
【０００５】
特許文献２に開示される高周波フィルタは、少なくとも３個の共振器を有し、特性の調整を容易に行えるようにしたもので、図４６に示すように、高周波フィルタ２０は、積層基板内に設けられた３つの共振器２１，２２，２３を備えており、隣接する共振器２１，２３は誘導結合し、隣接する共振器２２，２３も誘導結合し、隣接しない共振器２１，２２はキャパシタ２４，２５を介して容量結合している。キャパシタ２４，２５は、それぞれ容量結合用導体層を用いて構成されており、容量結合用導体層は、共振器２１との間に第１のキャパシタを形成するための第１の部分と、共振器２２との間に第２のキャパシタを形成するための第２の部分と、長手方向の一方の端部が第１の部分に接続され、長手方向の他方の端部が第２の部分に接続された第３の部分とを有している。また、第３の部分のうちの少なくとも一部の幅は第１の部分の幅および第２の部分の幅よりも小さく設定されている。
【特許文献１】特開２０００−３２３９０８号公報
【特許文献２】特開２００７−２０８３９５号公報
【発明の開示】
【発明が解決しようとする課題】
【０００６】
しかしながら、共振器を多段化させる場合は一般的に同層に平行して共振器を配置することになり、共振器の数だけ横方向に広がってしまうため、サイズが大きくなってしまう。その結果、小型化という市場のニーズに合わなくなる。
【０００７】
また、共振器を多段化させていくと、複数の共振器と、この他に共振器を結合させる結合電極が必要になってくる。つまり多段化を進めていくと内部構造が複雑化してしまい、製造時のバラつき（積層ズレ、カットズレ、印刷のにじみなど）、特に複数個のフィルタ回路素子などを集合基板を用いて製造する際のバラツキによって特性変化が大きくなってしまい、この結果、作りにくさや歩留まりに影響してしまう。
【０００８】
本発明は前記問題点に鑑みてなされたものであり、その目的とするところは、製造が容易で小型化可能であり、歩留まりの向上を図れる共振器、フィルタ回路素子、これを備えた回路基板並びに回路モジュールを提供することである。
【課題を解決するための手段】
【０００９】
本発明は前記目的を達成するために、絶縁体平面上に設けられた所定厚さの導電体によって形成される共振器であって、２つ以上の開放端と、１つ以上で且つ開放端数以下の数の接地端とを有する共振器を構成した。
【００１０】
本発明の共振器は、接地外部電極に一端が接続されている２つ以上の１／４波長共振器を同層に配置し、これらの共振器の接地端部を連結させて一体に形成し、１つ以上で且つ開放端数以下の数の接地端部を有する１つの共振器としたものである。これにより２つ以上の共振器は一体形成されているので、互いに結合された状態になっている。
【００１１】
また、本発明は前記目的を達成するために、絶縁体からなる積層素体の内部に設けられたフィルタ回路を構成する１つ以上の導電体と、前記積層素体の外部に設けられた外部電極とを有するフィルタ回路素子であって、前記積層素体内部の所定層に設けられた導電体によって形成され、２つ以上の開放端と、１つ以上で且つ開放端数以下の数の接地端とを有する変形共振器を１つ以上備えているフィルタ回路素子を提案する。
【００１２】
本発明のフィルタ回路素子は、上記本発明の共振器を前記変形共振器として備えているので、一体形成されている２つ以上の共振器は互いに結合された状態になっているので、従来例のような共振器同士を結合させる結合電極は不要となる。さらに、変形共振器の接地端部の数が、共振器を個別に形成したときと比べて減少するので、製造時のバラつき（積層ズレ、カットズレ、印刷のにじみなど）による特性変化が従来例に比べて低減される。
【００１３】
また、本発明は前記目的を達成するために、上記フィルタ回路素子が一体に形成されている回路基板を提案する。
【００１４】
さらに、本発明は前記目的を達成するために、上記フィルタ回路素子が一体に形成されている回路モジュールを提案する。
【発明の効果】
【００１５】
本発明の共振器によれば、２つ以上の共振器が一体形成されてなるので、これら２つ以上の共振器は互いに結合された状態になっている。このため、本発明の共振器を用いることにより、従来必要とされていた共振器同士を結合させるための結合電極が不要となるので、製造が容易になり、小型化可能であり、歩留まりの向上を図ることができる。
【００１６】
本発明のフィルタ回路素子によれば、本発明の上記共振器を変形共振器として用いているので、従来と同等の周波数特性を得られる構成とするときに、共振器の数を１本減らすことができる。さらに、積層方向で共振器同士を直接重ねることによって、共振器数の増大による横方向への拡大を防ぐことができるので、素子の小型化を図ることができる。さらにまた、従来では、通常、共振器同士を結合させるために共振器電極とは別途に、結合電極を設ける必要があったが、本発明のフィルタ回路素子に用いている変形共振器では従来必要であった結合電極が必要なくなるため、変形共振器を用いることによって内部構造の簡略化を図ることができる。このように内部構造が簡略化されることによって、製造時のバラつき（積層ズレ、カットズレ、印刷のにじみなど）の影響を受けにくくなる。したがって、小型の素子を容易に製造することができるとともに、歩留まりの向上を図ることができる。
【００１７】
また、本発明の回路基板および回路モジュールにおいても、本発明の上記フィルタ回路素子と同等の効果を得ることができる。
【発明を実施するための最良の形態】
【００１８】
以下、図面を参照して本発明の一実施形態を説明する。
【００１９】
図１乃至図３は本発明の第１実施形態における積層型誘電体フィルタ回路素子（以下、フィルタ回路素子と称する）を示すもので、図１はフィルタ回路素子の外観斜視図、図２はフィルタ回路素子の要部分解斜視図、図３はフィルタ回路素子の平面透視図である。
【００２０】
図において、100はフィルタ回路素子で、複数の誘電体（絶縁体）と複数の導体電極（導電体）とを積層してなる２．０ｍｍ×１．２５ｍｍ×１．２５ｍｍ程度の略直方体形状の積層素体110と、積層素体110の両端部に設けられた入出力端子101,102、積層素体110の外面に形成された接地端子103,104、上面に形成された表示マーカ105とから構成されている。
【００２１】
積層素体110は、導体電極が形成されていない誘電体層（図示せず）と所定パターンの導体電極を形成した複数の誘電体層111〜117が記述の順に上から下へ積層された一体構造をなし、各誘電体層111〜117は、例えばＢａＴｉＯ3系の誘電性を有するセラミック焼結体によって形成されている。誘電体材料としてはこの他に例えばＢａ2Ｔｉ9Ｏ20、ＢａＴｉ2Ｏ6 、ＢａＴｉ4Ｏ9及びＢａ4Ｔｉ13Ｏ30等のチタン酸バリウム系の高周波誘電体材料や、アルミナ、シリカ等をフィラーとしたガラスセラミックスを用いることができる。
【００２２】
図２において最上層となる誘電体層111はダミー層で導電体が形成されていない。誘電体層112には、入出力端子101,102が形成されている側辺の近傍を除く全領域に、接地端子103,104に接続された接地電極121が形成されている。
【００２３】
誘電体層113には、第２共振器をなす変形共振器122が形成されている。すなわち、誘電体層113には、２つの開放端と１つの接地端を有する変形共振器122を構成する導体電極が形成されている。変形共振器122は、互いに長手方向が平行になるように配置された３つの長方形の電極、すなわち開放端部をなす２つの長方形の共振器電極122a,122bと接地端部をなす１つの長方形の共振器電極122cとから構成されている。開放端部をなす共振器電極122a,122bの間に接地端部をなす共振器電極122cが位置するように配置され、共振器電極122a,122bの一端は開放されており、共振器電極122cの他端は接地端子103に接続されている。また、共振器電極122a,122bの他端部はこの共振器電極122a,122bに直交する導体電極122d,122eによって共振器電極122cの一端に導電接続されている。
【００２４】
誘電体層114には、第１共振器123をなす導体電極と第３共振器124をなす導体電極が形成されている。
【００２５】
第１共振器123は、共振器電極122aに対して誘電体層113を挟んで互いの長手方向が平行になるように積層された帯状電極123aと所定のインダクタンスを有する引き出し電極123cとからなり、帯状電極123aの一端部に引き出し電極123cの一端が接続され、引き出し電極123cの他端123bが入出力端子101に接続されている。また、帯状電極123aの他端は接地端子103に接続されている。
【００２６】
第３共振器124は、共振器電極122bに対して誘電体層113を挟んで互いの長手方向が平行になるように積層された帯状電極124aと所定のインダクタンスを有する引き出し電極124cとからなり、帯状電極124aの一端部に引き出し電極124cの一端が接続され、引き出し電極124cの他端124bが入出力端子102に接続されている。また、帯状電極124aの他端は接地端子103に接続されている。
【００２７】
誘電体層115には、長方形の帯状の導電体からなるマルチパス電極125が形成されている。このマルチパス電極125は、その一端部125aが誘電体層114を挟んで共振器電極123に積層されるとともに他端部125bが誘電体層114を挟んで共振器電極124に積層され、これらの共振器電極123,124と容量結合している。
【００２８】
誘電体層116には、第１共振器123の波長短縮電極126と第３共振器124の波長短縮電極127が形成されている。
【００２９】
波長短縮電極126は、その長手方向が第１共振器123の帯状電極123aの長手方向と平行な長方形の導電体からなり、誘電体層116を挟んで接地電極128と容量結合している。また、波長短縮電極126は、引き出し電極126aによって入出力端子101に導電接続されている。
【００３０】
波長短縮電極127は、その長手方向が第３共振器124の帯状電極124aの長手方向と平行な長方形の導電体からなり、誘電体層116を挟んで接地電極128と容量結合している。また、波長短縮電極127は、引き出し電極127aによって入出力端子102に導電接続されている。
【００３１】
誘電体層117には、入出力端子101,102が形成されている側辺の近傍を除く全領域に、接地端子103,104に接続された接地電極128が形成されている。
【００３２】
また、入出力端子101,102に接続している第１，３共振器123,124の帯状電極123a,124aは通常、所望する周波数のλ/4長に合わせてある。さらにその第１，３共振器123,124の帯状電極123a,124aの上部に配置している第２共振器となる変形共振器122によって第１共振器123と第３共振器124が結合されている。
【００３３】
したがって、本実施形態では従来必要とされていた共振器同士を結合する結合電極は存在せず、代わりに第１，３共振器123,124の帯状電極123a,124aと変形共振器122の電極とが上方から見た場合に重なり合って共振器同士を結合させている。
【００３４】
一方の入出力端子101から入力させた信号を第２共振器（変形共振器）122の電極を介さずに、他方の入出力端子102へと流すことを目的として第１，３共振器123,124の帯状電極同士を直接接続するように、第１，３共振器123,124の帯状電極123a,124aの下部にマルチパス電極125が配置されている。
【００３５】
このマルチパス電極125は配置位置によってその容量を変化させることができ、平行板のコンデンサを形成する際と同様に、第１，３共振器123,124の帯状電極123a,124aとマルチパス電極125との層間が狭いほど結合は強く、層間が広いほど結合は弱くなる。また第１，３共振器123,124の帯状電極123a,124aの開放側に配置するほど結合が強く、短絡側に配置するほど結合が弱くなる。このマルチパス電極125は結合の度合いによって、通過帯域幅の前に極を形成して従来よりも大きな減衰量を得ることができるようになる。
【００３６】
第１，３共振器123,124の帯状電極123a,124aは、通常、所望とする周波数のλ/4長となっているが、積層素体110のサイズを２．０×１．２５×１．２５mmとした場合では共振器としての帯状電極123a,124aの長さを十分に得ることができない。その場合、図に示しているような、波長短縮電極126,127を用いることで、共振周波数を調整する。図では第１，３共振器123,124の帯状電極123a,124aの双方に対して波長短縮をかけるため、図で示しているような第１，３共振器用の波長短縮電極126,127が必要になる。本実施形態では設けていないが、後述する他の実施形態に示すように変形共振器122（第２共振器電極用）の波長短縮電極を設けても良い。
【００３７】
図４は本実施形態のフィルタ回路素子100の等価回路を示す図、図５は本実施形態のフィルタ回路素子100の伝送周波数特性を示す図である。
【００３８】
図４に示すように、フィルタ回路素子100の等価回路は、第１，２インピーダンス素子131A,131Bと、第１，２キャパシタンス素子132A,132B、分布定数共振回路133A,133B,134A,134B,134Cを用いて表すことができる。
【００３９】
第１インピーダンス素子131Aの一端は入出力端子101に接続され、第１インピーダンス素子131Aの他端には第１キャパシタンス素子132Aの一端と分布定数共振回路133Aの一端が接続されている。分布定数共振回路133Aの他端は接地されている。
【００４０】
また、第１キャパシタンス素子132Aの他端は分布定数共振回路134Aの一端に接続され、分布定数共振回路134Aの他端は分布定数共振回路134Bの一端と分布定数共振回路134Cの一端に接続されている。分布定数共振回路134Cの他端は接地されている。
【００４１】
分布定数共振回路134Bの他端は第２キャパシタンス素子132Bの一端に接続され、第２キャパシタンス素子132Bの他端は分布定数共振回路133Bの一端と第２インピーダンス素子131Bの一端に接続されている。分布定数共振回路133Bの他端は接地され、第１インピーダンス素子131Bの他端は入出力端子102に接続されている。
【００４２】
なお、第１インピーダンス素子131Aは第１共振器123の引き出し電極123cによって構成され、第２インピーダンス電極131Bは第３共振器124の引き出し電極124cによって構成されている。
【００４３】
第１キャパシタンス素子132Aは第１共振器123の帯状電極123aと変形共振器122の共振器電極122aによって構成され、第２キャパシタンス素子132Bは第３共振器124の帯状電極124aと変形共振器122の共振器電極122bによって構成されている。
【００４４】
分布定数共振回路133Aは第１共振器123の帯状電極123aと波長短縮電極126によって構成され、分布定数共振回路133Bは第３共振器124の帯状電極124aと波長短縮電極127によって構成されている。
【００４５】
分布定数共振回路134Aは変形共振器122の共振器電極122aによって構成され、分布定数共振回路134Bは変形共振器122の共振器電極122bによって構成され、分布定数共振回路134Cは変形共振器122の共振器電極122cによって構成されている。
【００４６】
上記構成のフィルタ回路素子100の伝送周波数特性は図５に示すものとなる。すなわち、反射特性（S11）では４つの極が５．９ＧＨｚ，６．２ＧＨｚ，７．３ＧＨｚ，８．２ＧＨｚに現れ、通過特性(S21)では５．６ＧＨｚ〜９．４ＧＨｚが通過帯域となるとともに５．０ＧＨｚに極が現れている。
【００４７】
通常、“多段化”を目的として共振器を配置する場合、スペースの関係上、共振器電極としては一方が開放され且つ他方が接地されている共振器が用いられる。この共振器の場合は所望の周波数の1/4波長時に共振する。“多段化”させる場合にはこの共振器を複数用いることになるが、共振器の本数によって反射特性（S11）の極の数が分かる。例えば、図６に示す従来例のフィルタ等価回路では片方が短絡している３つの共振器113A,113B,135を用いているため、図７の伝送周波数特性に示すように、反射特性(S11)の極は３箇所に発生している。しかし本実施形態のフィルタ回路素子100では片方が短絡している共振器は３つであるが、反射特性(S11)には４つの極が現れている。なお、本実施形態では、第１，３共振器123,124の帯状電極123a,124aの長さを３．４ｍｍとし、変形共振器122の共振器電極122a,122bの長さを１．８５ｍｍ、共振器電極122cの長さを０．９ｍｍに設定している。
【００４８】
変形共振器122の共振器電極122cの長さが極端に短いことから、この共振器電極122cが独立して共振しているのではなく、共振器電極122a＋共振器電極122cによって共振し，共振器電極122b＋共振器電極122cによって共振するというように、共振器電極122cが２つの共振器電極122a,122bによって共有されている状態になっている。
【００４９】
また、本実施形態では変形共振器122を１つ備えたフィルタ回路素子100を構成したが、図８に示すように変形共振器を２つ以上備えたフィルタ回路素子を構成しても、本実施形態と同様のフィルタ特性を持たせることができる。図８の等価回路では、２つの変形共振器の一方によって分布定数共振回路134A,134B,134Cが形成され、他方の変形共振器によって分布定数共振回路136A,136B,136Cが形成される。また、２つの変形共振器は静電容量結合によって直列につながれるため、等価回路においては分布定数共振回路134Bと分布定数共振回路136Aがキャパシタンス素子137によって接続される。
【００５０】
上記のように本実施形態のフィルタ回路素子100は、変形共振器122を備えているので、従来と同等の周波数特性を得られる構成とするときに、共振器の数を１つ減らすことができる。さらに、積層方向で共振器同士を直接重ねることによって、共振器数の増大による横方向への拡大を防ぐことができるので、フィルタ回路素子100の小型化を図ることができる。
【００５１】
さらにまた、従来では、通常、共振器同士を結合させるために共振器電極とは別途に、結合電極を設ける必要があったが、本実施形態のフィルタ回路素子100に用いている変形共振器122では従来必要であった結合電極が不要になるため、変形共振器122を用いることによって内部構造の簡略化を図ることができる。このように内部構造が簡略化されることによって、製造時のバラつき（積層ズレ、カットズレ、印刷のにじみなど）の影響を受けにくくなる。したがって、小型のフィルタ回路素子100を容易に製造することができるとともに、歩留まりの向上を図ることができる。
【００５２】
なお、変形共振器122の積層位置に関しては隣り合う共振器の上下どちらか一方という指定はなく、上下同時に配置してもかまわない。また、中央の短絡している共振器電極122cと、隣り合う共振器電極122a,122cとを導電接続させるとき、図９に示す第２実施形態のフィルタ回路素子100Aのようにビアホール導体122fを介して導電接続させても良い。
【００５３】
また、本実施形態のフィルタ回路素子100の構造では接地電極121,128が構造の上下に配置されており、その内部の挟まれた間にフィルタ回路を構成する電極が配置されている。このような構造をストリップライン構造という。しかし、上側の接地電極121を除去した状態のマイクロストリップライン構造でも同様の効果を得ることができる。
【００５４】
次に、本発明の第３実施形態を説明する。
【００５５】
図１０乃至図１２は本発明の第３実施形態におけるフィルタ回路素子100Bを示す図で、図１０は第３実施形態におけるフィルタ回路素子100Bの透視斜視図、図１１は第３実施形態におけるフィルタ回路素子100Bの平面透視図、図１２は第３実施形態におけるフィルタ回路素子100Bの伝送周波数特性を示す図である。
【００５６】
これらの図において、前述した第１実施形態と同一構成部分は同一符号をもって表しその説明を省略する。また、第３実施形態におけるフィルタ回路素子100Bは、第１実施形態におけるフィルタ回路素子100から第１，３共振器123,124とマルチパス電極125、波長短縮電極126,127を除去し、変形共振器122の共振器電極122a,122bをそれぞれ入出力端子101,102に導電接続したものである。
【００５７】
共振器電極122aの開放端部には引き出し電極122gの一端が接続され、引き出し電極122gの他端122hが入出力端子101に導電接続されている。また、共振器電極122b開放端部には引き出し電極122iの一端が接続され、引き出し電極122iの他端122jが入出力端子102に導電接続されている。
【００５８】
上記構成のフィルタ回路素子100Bの伝送周波数特性では、図１２に示すように、反射特性(S11)において２つの極が３．７ＧＨｚと４．５ＧＨｚに現れ、通過特性(S21)において３．５ＧＨｚ〜５．０ＧＨｚが通過帯域となっている。したがって、１つの変形共振器122を用いたときに、従来の一端を開放端とし且つ他端を接地端とした２つの共振器を用いたときと同様に反射特性(S11)において２つの極を得られることが解る。
【００５９】
本実施形態のフィルタ回路素子100Bの構成は、本発明のフィルタ回路素子を最も簡単な構成で形成したものである。
【００６０】
ここで、従来と同様に一端を開放端とし且つ他端を接地端とした２つの共振器を用いて構成した比較例と本実施形態のフィルタ回路素子100Bとの特性比較を行う。比較例としては図１３乃至図１５に示すフィルタ回路素子200を用いた。図１３は比較例のフィルタ回路素子の透視斜視図、図１４は比較例のフィルタ回路素子の平面透視図、図１５は比較例のフィルタ回路素子の側面透視図である。
【００６１】
これらの図において、第１実施形態及び第３実施形態と同一構成部分は同一符号をもって表しその説明を省略する。また、第３実施形態のフィルタ回路素子100Bと比較例のフィルタ回路素子200との相違点は、比較例のフィルタ回路素子200では、第３実施形態のフィルタ回路素子100Bから変形共振器122を除去し、共振器電極201,202と、結合電極203、波長短縮電極204,205を設けたことである。
【００６２】
共振器電極201,202は、２つの接地電極121,128の中間層に形成されている。一方の共振器電極201はＴ字型に接続された２つの帯状電極201a,201bから構成され、一方の帯状電極201aの一端は接地端子103に導電接続され、帯状電極201aの他端は開放されている。帯状電極201aの長手方向の中央部にほぼ直角に帯状電極201bの一端が導電接続され、帯状電極201bの他端は一方の入出力端子101に導電接続されている。他方の共振器電極202はＴ字型に接続された２つの帯状電極202a,202bから構成され、一方の帯状電極202aは帯状電極201aと所定の間隔を開けて平行に配置され、帯状電極202aの一端は接地端子103に導電接続され、帯状電極202aの他端は開放されている。帯状電極202aの長手方向の中央部にほぼ直角に帯状電極202bの一端が導電接続され、帯状電極202bの他端は他方の入出力端子102に導電接続されている。
【００６３】
結合電極203は、長方形をなし、共振器電極201,202のそれぞれと容量結合するように、共振器電極201,202が配置されている層よりも接地電極121側の層に配置されている。
【００６４】
波長短縮電極204,205は、それぞれ長方形をなし、共振器電極201,202が配置されている層よりも接地電極128側の層に配置されている。また、一方の波長短縮電極204は接地端子104に導電接続されると共に一方の共振器電極201の帯状電極201aの他端部と容量結合するように配置されている。他方の波長短縮電極205は接地端子104に導電接続されると共に他方の共振器電極202の帯状電極202aの他端部と容量結合するように配置されている。
【００６５】
図１６及び図１７に第３実施形態のフィルタ回路素子100Bと比較例のフィルタ回路素子200の反射特性(S11)と通過特性(S21)を重ねて表す。図において、S11(100B),S21(100B)は第３実施形態のフィルタ回路素子100Bの反射特性(S11)と通過特性(S21)であり、S11(200),S21(200)は比較例のフィルタ回路素子200の反射特性(S11)と通過特性(S21)である。
【００６６】
このように本発明を適用した第３実施形態のフィルタ回路素子100Bと従来の構成を適用した比較例のフィルタ回路素子200とを比較すると、第３実施形態のフィルタ回路素子100Bのほうが比較例のフィルタ回路素子200よりも帯域が広いことが分かる。これは−３ｄＢ帯域幅を確認するとより明白になる。図１７に示すように、２〜６ＧＨｚの帯域のうち、第３実施形態のフィルタ回路素子100Bの−３ｄＢ帯域幅Ａは６３％であり、比較例のフィルタ回路素子200の−３ｄＢ帯域幅Ｂは４２％であった。このように本発明を適用した第３実施形態の構造では比較例に比べて広帯域な通過特性を得ることが可能である。
【００６７】
また、上記のように同様の特性波形を得ようとした場合、本発明を適用した場合は第３実施形態のように１枚の共振器電極122で作成可能であるのに対して、比較例では共振器電極201,202と、結合電極203、波長短縮電極204,205など少なくとも２枚以上の電極パターンが必要になる。つまり、本発明を適用したフィルタ回路素子を製造する場合、比較例などの従来構成のフィルタ回路素子の製造に比べて、各電極パターンの積層ズレや電極パターン毎の印刷精度などの懸念事項が減るので、これによって作りやすさにも貢献することができる。
【００６８】
また、図１８及び図１９に示すように、共振器電極122a,122bと共振器電極122cとを導電接続する導体電極122d,122eの位置を変えることによって、反射特性(S11)と通過特性(S21)を変化させることができる。
【００６９】
図１９において、S11(E0),S21(E0)は導体電極122d,122eを基準位置に配置したときの反射特性(S11)と通過特性(S21)を表している。また、S11(E+80),S21(E+80)は導体電極122d,122eを図１８に示すように基準位置から＋方向に８０μｍ移動した位置に配置したときの反射特性(S11)と通過特性(S21)を表し、S11(E-80),S21(E-80)は導体電極122d,122eを図１８に示すように基準位置から−方向に８０μｍ移動した位置に配置したときの反射特性(S11)と通過特性(S21)を表している。
【００７０】
このように、共振周波数をそのままにして帯域幅を決定する際も比較例では結合容量と共振器長の調整を同時に行わなければならなかったが、本発明を適用した第３実施形態の構造では導体電極122d,122eの位置のシフトのみで、帯域幅のみを調節することができる。このことは、前述した第１及び第２実施形態並びに後述する他の実施形態においても同様である。
【００７１】
次に、本発明の第４実施形態を説明する。
【００７２】
図２０は本発明の第４実施形態におけるフィルタ回路素子100Cを示す要部分解斜視図である。図において、前述した第１実施形態と同一構成部分は同一符号をもって表しその説明を省略する。また、本実施形態と第１実施形態との相違点は、変形共振器122の波長短縮電極129A,129Bを設けたことである。
【００７３】
すなわち、第４実施形態のフィルタ回路素子100Cでは、誘電体層112と変形共振器122との間に誘電体層118を設け、この誘電体層118の上に接地端子104に導電接続されている長方形の波長短縮電極129A,129Bを設けている。一方の波長短縮電極129Aは変形共振器122の共振器電極122aに対して誘電体層118を挟んで静電容量結合するように積層され、他方の波長短縮電極129Bは変形共振器122の共振器電極122bに対して誘電体層118を挟んで静電容量結合するように積層されている。このように波長短縮電極129A,129Bを設けることによって、第１実施形態のフィルタ回路素子100と同様の効果を得ることができ且つ共振器電極122a,122bを短くすることができる。
【００７４】
次に、本発明の第５実施形態を説明する。
【００７５】
図２１乃至図２４は本発明の第５実施形態におけるフィルタ回路素子100Dを示す図で、図２１は第５実施形態におけるフィルタ回路素子100Dの透視斜視図、図２２は第５実施形態におけるフィルタ回路素子100Dの平面透視図、図２３は第５実施形態におけるフィルタ回路素子100Dの等価回路を示す図、図２４は第５実施形態におけるフィルタ回路素子100Dの伝送周波数特性を示す図である。
【００７６】
これらの図において、前述した第１実施形態と同一構成部分は同一符号をもって表しその説明を省略する。また、第５実施形態では第１実施形態における第１，３共振器123,124の帯状電極123a,124aの他端を接地せずに開放端となした。
【００７７】
これにより、第１実施形態において第１，３共振器123,124であった電極は共振器を構成せずに、帯状電極123a,124aのそれぞれは単なる容量電極となり、変形共振器122の共振電極122a,122bに容量結合する。
【００７８】
したがって、第５実施形態のフィルタ回路素子100Dの等価回路においては、図２３に示すように、第１実施形態において存在した分布定数共振回路133A,133Bがなくなり、共振器として変形共振器122のみを備えたフィルタ回路素子100Dが構成される。
【００７９】
このように共振器として変形共振器122のみを備えたフィルタ回路素子100Dの伝送周波数特性では、図２４に示すように、反射特性(S11)において２つの極が８．４ＧＨｚと９．２ＧＨｚに現れ、通過特性(S21)において７．６ＧＨｚ〜１０．０ＧＨｚが通過帯域となっている。したがって、１つの変形共振器122を用いたときに、従来の一端を開放端とし且つ他端を接地端とした２つの共振器を用いたときと同様に反射特性(S11)において２つの極を得られることが解る。
【００８０】
次に、本発明の第６実施形態を説明する。
【００８１】
図２５乃至図２７は本発明の第６実施形態におけるフィルタ回路素子100Eを示す図で、図２５は第６実施形態におけるフィルタ回路素子100Eの透視斜視図、図２６は第６実施形態におけるフィルタ回路素子100Eの平面透視図、図２７は第６実施形態におけるフィルタ回路素子100Eの側面透視図である。
【００８２】
これらの図において、前述した第１実施形態と同一構成部分は同一符号をもって表しその説明を省略する。また、第６実施形態におけるフィルタ回路素子100Eは、第１実施形態におけるフィルタ回路素子100からマルチパス電極125と波長短縮電極126,127を除去し、変形共振器122に代えて２つの変形共振器141,142と共振器143を設けたものである。
【００８３】
共振器143は、従来の一端を開放端とし且つ他端143aを接地端として接地端子103に導電接続た帯状の導電体で、第１，３共振器123,124の帯状電極123a,124aの間に所定間隔をあけてこれらの帯状電極123a,124aと同一層に配置されている。
【００８４】
一方の変形共振器141は、第１実施形態における変形共振器122と同様に、互いに長手方向が平行になるように配置された３つの長方形の電極、すなわち開放端部をなす２つの長方形の共振器電極141a,141bと接地端部をなす１つの長方形の共振器電極141cとから構成されている。開放端部をなす共振器電極141a,141bの間に接地端部をなす共振器電極141cが位置するように配置され、共振器電極141a,141bの一端は開放されており、共振器電極141cの他端は接地端子103に接続されている。また、共振器電極141a,141bの他端部はこの共振器電極141a,141bに直交する導体電極によって共振器電極141cの一端に導電接続されている。
【００８５】
また、変形共振器141の共振器電極141aは誘電体層を挟んで第１共振器123の帯状電極123aと静電容量結合するように積層して配置され、変形共振器141の共振器電極141bは誘電体層を挟んで共振器143の開放端部と静電容量結合するように積層して配置されている。
【００８６】
他方の変形共振器142は、第１実施形態における変形共振器122と同様に、互いに長手方向が平行になるように配置された３つの長方形の電極、すなわち開放端部をなす２つの長方形の共振器電極142a,142bと接地端部をなす１つの長方形の共振器電極142cとから構成されている。開放端部をなす共振器電極142a,142bの間に接地端部をなす共振器電極142cが位置するように配置され、共振器電極142a,142bの一端は開放されており、共振器電極142cの他端は接地端子103に接続されている。また、共振器電極142a,142bの他端部はこの共振器電極142a,142bに直交する導体電極によって共振器電極142cの一端に導電接続されている。
【００８７】
また、変形共振器142の共振器電極142aは誘電体層を挟んで共振器143の開放端部と静電容量結合するように積層して配置され、変形共振器142の共振器電極142bは誘電体層を挟んで第３共振器124の帯状電極124aと静電容量結合するように積層して配置されている。
【００８８】
このように２つの変形共振器141,142を直列につないだフィルタ回路素子100Eにおいても、従来と同等の周波数特性を得られる構成とするときに、共振器の数を１つ減らすことができる。さらに、積層方向で共振器同士を直接重ねることによって、共振器数の増大による横方向への拡大を防ぐことができるので、フィルタ回路素子100Eの小型化を図ることができる。
【００８９】
さらにまた、従来では、通常、共振器同士を結合させるために共振器電極とは別途に、結合電極を設ける必要があったが、本実施形態のフィルタ回路素子100Eに用いている変形共振器141,142では従来必要であった結合電極が不要になるため、変形共振器141,142を用いることによって内部構造の簡略化を図ることができる。このように内部構造が簡略化されることによって、製造時のバラつき（積層ズレ、カットズレ、印刷のにじみなど）の影響を受けにくくなる。したがって、小型のフィルタ回路素子100Eを容易に製造することができるとともに、歩留まりの向上を図ることができる。
【００９０】
次に、本発明の第７実施形態を説明する。
【００９１】
図２８乃至図３０は本発明の第７実施形態におけるフィルタ回路素子100Fを示す図で、図２８は第７実施形態におけるフィルタ回路素子100Fの透視斜視図、図２９は第７実施形態におけるフィルタ回路素子100Fの平面透視図、図３０は第７実施形態におけるフィルタ回路素子100Fの側面透視図である。
【００９２】
これらの図において、前述した第６実施形態と同一構成部分は同一符号をもって表しその説明を省略する。また、第７実施形態におけるフィルタ回路素子100Fは、第６実施形態におけるフィルタ回路素子100Eの２つの変形共振器141,142に代えて１つの変形共振器144を設けたものである。
【００９３】
変形共振器144は、３つの開放端部をなす共振器電極144a,144b,144cと２つの接地端部をなす共振器電極144d,144eを有するものである。
【００９４】
変形共振器144は、互いに長手方向が平行になるように配置された５つの長方形の電極、すなわち開放端部をなす３つの長方形の共振器電極144a,144b,144cと接地端部をなす２つの長方形の共振器電極144d,144eとから構成されている。開放端部をなす共振器電極144a,144bの間に接地端部をなす共振器電極144dが位置するように配置され、開放端部をなす共振器電極144b,144cの間に接地端部をなす共振器電極144eが位置するように配置されている。
【００９５】
共振器電極144a,144b,144cの一端は開放されており、共振器電極144d,144eの他端は接地端子103に接続されている。また、共振器電極144a,144bの他端部はこの共振器電極144a,144bに直交する導体電極によって共振器電極144dの一端に導電接続され、共振器電極144b,144cの他端部はこの共振器電極144b,144cに直交する導体電極によって共振器電極144eの一端に導電接続されている。
【００９６】
変形共振器144の共振器電極144aは誘電体層を挟んで第１共振器123の帯状電極123aと静電容量結合するように積層して配置され、変形共振器144の共振器電極144bは誘電体層を挟んで共振器143の開放端部と静電容量結合するように積層して配置され、変形共振器144の共振器電極144cは誘電体層を挟んで第３共振器124の帯状電極124aと静電容量結合するように積層して配置されている。
【００９７】
本実施形態のフィルタ回路素子100Fのように３つの開放端部と２つの接地端部を有する変形共振器144を備えても上記第１，６実施形態と同様の効果を得ることができる。
【００９８】
次に、本発明の第８実施形態を説明する。
【００９９】
図３１乃至図３３は本発明の第８実施形態におけるフィルタ回路素子100Gを示す図で、図３１は第８実施形態におけるフィルタ回路素子100Gの透視斜視図、図３２は第８実施形態におけるフィルタ回路素子100Gの平面透視図、図３３は第８実施形態におけるフィルタ回路素子100Gの側面透視図である。
【０１００】
これらの図において、前述した第７実施形態と同一構成部分は同一符号をもって表しその説明を省略する。また、第８実施形態におけるフィルタ回路素子100Gは、第７実施形態におけるフィルタ回路素子100Fの変形共振器144に加えて、これと同様の変形共振器145を設けたものである。
【０１０１】
変形共振器145は、共振器123,124,143を挟んで対称な位置に設けられ、３つの開放端部をなす共振器電極145a,145b,145cと２つの接地端部をなす共振器電極145d,145eを有するものである。
【０１０２】
変形共振器145は、互いに長手方向が平行になるように配置された５つの長方形の電極、すなわち開放端部をなす３つの長方形の共振器電極145a,145b,145cと接地端部をなす２つの長方形の共振器電極145d,145eとから構成されている。開放端部をなす共振器電極145a,145bの間に接地端部をなす共振器電極145dが位置するように配置され、開放端部をなす共振器電極145b,145cの間に接地端部をなす共振器電極145eが位置するように配置されている。
【０１０３】
共振器電極145a,145b,145cの一端は開放されており、共振器電極145d,145eの他端は接地端子103に接続されている。また、共振器電極145a,145bの他端部はこの共振器電極145a,145bに直交する導体電極によって共振器電極145dの一端に導電接続され、共振器電極145b,145cの他端部はこの共振器電極145b,145cに直交する導体電極によって共振器電極145eの一端に導電接続されている。
【０１０４】
変形共振器145の共振器電極145aは誘電体層を挟んで第１共振器123の帯状電極123aと静電容量結合するように積層して配置され、変形共振器145の共振器電極145bは誘電体層を挟んで共振器143の開放端部と静電容量結合するように積層して配置され、変形共振器145の共振器電極145cは誘電体層を挟んで第３共振器124の帯状電極124aと静電容量結合するように積層して配置されている。
【０１０５】
本実施形態のフィルタ回路素子100Gのように３つの開放端部と２つの接地端部を有する２つの変形共振器144,145を備えても上記第１，６，７実施形態と同様の効果を得ることができる。
【０１０６】
次に、本発明の第９実施形態を説明する。
【０１０７】
図３４乃至図３６は本発明の第９実施形態におけるフィルタ回路素子100Hを示す図で、図３４は第９実施形態におけるフィルタ回路素子100Hの透視斜視図、図３５は第９実施形態におけるフィルタ回路素子100Hの平面透視図、図３６は第９実施形態におけるフィルタ回路素子100Hの側面透視図である。
【０１０８】
これらの図において、前述した第７実施形態と同一構成部分は同一符号をもって表しその説明を省略する。また、第９実施形態におけるフィルタ回路素子100Hは、第７実施形態におけるフィルタ回路素子100Fの変形共振器144に代えて、変形共振器146を設けたものである。
【０１０９】
変形共振器146は、３つの開放端部をなす共振器電極146a,146b,146cと１つの接地端部をなす共振器電極146dを有するものである。
【０１１０】
変形共振器146は、互いに長手方向が平行になるように配置された４つの長方形の電極、すなわち開放端部をなす３つの長方形の共振器電極146a,146b,146cと接地端部をなす１つの長方形の共振器電極146dとから構成されている。開放端部をなす共振器電極146a,146cの間に開放端部をなす共振器電極146bが位置し、この共振器電極146bに連結して接地端部をなす共振器電極146dが設けられ、開放端部をなす中央の共振器電極146bと接地端部をなす共振器電極146dによって１つの長方形が形成されている。
【０１１１】
共振器電極146a,146b,146cの一端は開放されており、共振器電極146dの他端は接地端子103に接続されている。また、共振器電極146a,146cの他端部はこの共振器電極146a,146cに直交する導体電極によって共振器電極146dの一端に導電接続されている。
【０１１２】
変形共振器146の共振器電極146aは誘電体層を挟んで第１共振器123の帯状電極123aと静電容量結合するように積層して配置され、変形共振器146の共振器電極146bは誘電体層を挟んで共振器143の開放端部と静電容量結合するように積層して配置され、変形共振器146の共振器電極146cは誘電体層を挟んで第３共振器124の帯状電極124aと静電容量結合するように積層して配置されている。
【０１１３】
本実施形態のフィルタ回路素子100Hのように３つの開放端部と１つの接地端部を有する変形共振器146を備えても上記第１，６実施形態と同様の効果を得ることができる。
【０１１４】
次に、本発明の第１０実施形態を説明する。
【０１１５】
図３７乃至図３９は本発明の第１０実施形態におけるフィルタ回路素子100Iを示す図で、図３７は第１０実施形態におけるフィルタ回路素子100Iの透視斜視図、図３８は第１０実施形態におけるフィルタ回路素子100Iの平面透視図、図３９は第１０実施形態におけるフィルタ回路素子100Iの側面透視図である。
【０１１６】
これらの図において、前述した第７実施形態と同一構成部分は同一符号をもって表しその説明を省略する。また、第１０実施形態におけるフィルタ回路素子100Iは、第７実施形態におけるフィルタ回路素子100Fの変形共振器144に代えて、変形共振器147を設けたものである。
【０１１７】
変形共振器147は、２つの開放端部をなす共振器電極147a,147bと２つの接地端部をなす共振器電極147c,147dを有するものである。
【０１１８】
変形共振器147は、互いに長手方向が平行になるように配置された４つの長方形の電極、すなわち開放端部をなす２つの長方形の共振器電極147a,147bと接地端部をなす２つの長方形の共振器電極147c,147dとから構成されている。開放端部をなす共振器電極147a,147bの間に接地端部をなす共振器電極147c,147dが位置し、共振器電極147a,147bの一端は開放されており、共振器電極147c,147dの他端は接地端子103に接続されている。
【０１１９】
また、共振器電極147a,147bの他端部はこの共振器電極147a,147bに直交する導体電極によって共振器電極147c,147dの一端に導電接続されている。
【０１２０】
変形共振器147の共振器電極147aは誘電体層を挟んで第１共振器123の帯状電極123aと静電容量結合するように積層して配置され、変形共振器147の共振器電極147bは誘電体層を挟んで第３共振器124の帯状電極124aと静電容量結合するように積層して配置されている。また、変形共振器147の一方の接地端部となる共振器電極147cは第１共振器123の帯状電極123aと共振器143との間に位置するように配置され、変形共振器147の他方の接地端部となる共振器電極147dは共振器143と第３共振器123の帯状電極123aとの間に位置するように配置されている。
【０１２１】
本実施形態のフィルタ回路素子100Iのように２つの開放端部と２つの接地端部を有する変形共振器147を備えても上記第１，６実施形態と同様の効果を得ることができる。
【０１２２】
次に、本発明の第１１実施形態を説明する。
【０１２３】
図４０乃至図４２は本発明の第１１実施形態におけるフィルタ回路素子100Jを示す図で、図４０は第１１実施形態におけるフィルタ回路素子100Jの透視斜視図、図４１は第１１実施形態におけるフィルタ回路素子100Jの平面透視図、図４２は第１１実施形態におけるフィルタ回路素子100Jの側面透視図である。
【０１２４】
これらの図において、前述した第７実施形態と同一構成部分は同一符号をもって表しその説明を省略する。また、第１１実施形態におけるフィルタ回路素子100Jは、第７実施形態におけるフィルタ回路素子100Fの変形共振器144に代えて、変形共振器148を設けたものである。
【０１２５】
変形共振器148は、２つの開放端部をなす共振器電極148a,148bと１つの接地端部をなす共振器電極148cを有するものである。
【０１２６】
変形共振器148は、互いに長手方向が平行になるように配置された３つの長方形の電極、すなわち開放端部をなす２つの長方形の共振器電極148a,148bと接地端部をなす１つの長方形の共振器電極148cとから構成されている。開放端部をなす共振器電極148a,148bの間に接地端部をなす共振器電極148cが位置し、共振器電極148a,148bの一端は開放されており、共振器電極148cの他端は接地端子103に接続されている。
【０１２７】
また、共振器電極148a,148bの他端部はこの共振器電極148a,148bに直交する導体電極によって共振器電極148cの一端に導電接続されている。
【０１２８】
変形共振器148の共振器電極148aは誘電体層を挟んで第１共振器123の帯状電極123aと静電容量結合するように積層して配置され、変形共振器147の共振器電極148bは誘電体層を挟んで第３共振器124の帯状電極124aと静電容量結合するように積層して配置されている。また、変形共振器148の接地端部となる共振器電極148cは第１共振器123の帯状電極123aと第３共振器124の帯状電極124aとの間に位置するように配置されるとともに共振器143の接地端部に対して誘電体層を挟んで積層されている。
【０１２９】
本実施形態のフィルタ回路素子100Jのように２つの開放端部と１つの接地端部を有する変形共振器148を備えても上記第１，６実施形態と同様の効果を得ることができる。
【０１３０】
次に、本発明の第１２実施形態を説明する。
【０１３１】
第１２実施形態では、上記第１実施形態におけるフィルタ回路素子100が一体に形成されている回路基板300を形成した。上記のフィルタ回路素子100を多層回路基板の内部に形成した場合の導体パターの形状及び配置は図４３に示すようになる。
【０１３２】
図４３において、300は多層基板で、誘電体セラミックス310を主体とし、その内部に複数の導体パターンが積層配置されて前述した第１実施形態のフィルタ回路が形成されている。図４３において第１実施形態と同一構成部分は同一符号をもって表している。また、回路基板200内に形成されたフィルタ回路の等価回路と周波数特性は第１実施形態と同じである。
【０１３３】
次に、本発明の第１３実施形態を説明する。
【０１３４】
第１３実施形態では、上記のフィルタ回路を用いたバンドパスフィルタ（ＢＰＦ）を備えた高周波無線回路モジュールを構成した。
【０１３５】
図４４及び図４５は本発明の第１３実施形態の高周波無線回路モジュールを示すもので、図４４は側面透視図、図４５は電気系回路を示すブロック図である。
【０１３６】
図において、400は高周波無線回路モジュールで、低温同時焼成セラミックス（ＬＴＣＣ）等のセラミック基板や樹脂基板等の配線回路基板からなるモジュール基板401上に、無線送受信機能部（無線機能部）を構成するＩＣ421や受動素子422等の電子部品が実装されている。さらに、モジュール基板401の上面はシールド部材402によって覆われている。また、モジュール基板401の内部にはバンドパスフィルタ（ＢＰＦ）431を形成する導体パターン電極411およびバラン432を形成する導体パターン電極412が設けられている。これらによって構成される回路は、モジュール基板401の底面に形成されている複数の外部電極341を介して外部回路に接続できるようになっている。
【０１３７】
高周波無線回路モジュール400の電気系回路は、図に示すように、ＩＣ421と、バンドパスフィルタ（ＢＰＦ）431、およびバラン432によって構成されている。バンドパスフィルタ（ＢＰＦ）431の入力側は外部電極441を介して外部のアンテナ451に接続される。バンドパスフィルタ（ＢＰＦ）431の出力側はモジュール基板401の内部においてバラン421の入力側に接続され、バラン421の出力側はモジュール基板401の内部において無線送受信機能部（無線機能部）を構成するＩＣ421に接続されている。
【０１３８】
本実施形態の高周波無線回路モジュール400においても、前述したと同様に、本発明のフィルタ回路を適用したバンドパスフィルタ（ＢＰＦ）431を非常に小型な構造に形成することができるので、バンドパスフィルタ（ＢＰＦ）431を内蔵した高周波無線回路モジュール400の形状を小型にすることができる。
【０１３９】
尚、前記実施形態は、本発明の一具体例であって、本発明がこれらの実施形態の構成のみに限定されることはない。
【図面の簡単な説明】
【０１４０】
【図１】本発明の第１実施形態におけるフィルタ回路素子の外観斜視図
【図２】本発明の第１実施形態におけるフィルタ回路素子の要部分解斜視図
【図３】本発明の第１実施形態におけるフィルタ回路素子の平面透視図
【図４】本発明の第１実施形態におけるフィルタ回路素子の等価回路を示す図
【図５】本発明の第１実施形態におけるフィルタ回路素子の伝送周波数特性を示す図
【図６】比較例としての従来例のフィルタ回路素子の等価回路を示す図
【図７】比較例としての従来例のフィルタ回路素子の伝送周波数特性を示す図
【図８】本発明の他の実施形態としての２つの変形共振器を有するフィルタ回路素子の等価回路を示す図
【図９】本発明の第２実施形態におけるフィルタ回路素子の要部分解斜視図
【図１０】本発明の第３実施形態におけるフィルタ回路素子の透視斜視図
【図１１】本発明の第３実施形態におけるフィルタ回路素子の平面透視図
【図１２】本発明の第３実施形態におけるフィルタ回路素子の伝送周波数特性を示す図
【図１３】比較例のフィルタ回路素子の透視斜視図
【図１４】比較例のフィルタ回路素子の平面透視図
【図１５】比較例のフィルタ回路素子の側面透視図
【図１６】比較例のフィルタ回路素子の伝送周波数特性を示す図
【図１７】比較例のフィルタ回路素子の伝送周波数特性を示す図
【図１８】本発明の第３実施形態におけるフィルタ回路素子の帯域幅変更方法を説明する図
【図１９】本発明の第３実施形態におけるフィルタ回路素子の帯域幅変化状態を説明する図
【図２０】本発明の第４実施形態におけるフィルタ回路素子の要部分解斜視図
【図２１】本発明の第４実施形態におけるフィルタ回路素子の透視斜視図
【図２２】本発明の第５実施形態におけるフィルタ回路素子の平面透視図
【図２３】本発明の第５実施形態におけるフィルタ回路素子の等価回路を示す図
【図２４】本発明の第５実施形態におけるフィルタ回路素子の伝送周波数特性を示す図
【図２５】本発明の第６実施形態におけるフィルタ回路素子の透視斜視図
【図２６】本発明の第６実施形態におけるフィルタ回路素子の平面透視図
【図２７】本発明の第６実施形態におけるフィルタ回路素子の側面透視図
【図２８】本発明の第７実施形態におけるフィルタ回路素子の透視斜視図
【図２９】本発明の第７実施形態におけるフィルタ回路素子の平面透視図
【図３０】本発明の第７実施形態におけるフィルタ回路素子の側面透視図
【図３１】本発明の第８実施形態におけるフィルタ回路素子の透視斜視図
【図３２】本発明の第８実施形態におけるフィルタ回路素子の平面透視図
【図３３】本発明の第８実施形態におけるフィルタ回路素子の側面透視図
【図３４】本発明の第９実施形態におけるフィルタ回路素子の透視斜視図
【図３５】本発明の第９実施形態におけるフィルタ回路素子の平面透視図
【図３６】本発明の第９実施形態におけるフィルタ回路素子の側面透視図
【図３７】本発明の第１０実施形態におけるフィルタ回路素子の透視斜視図
【図３８】本発明の第１０実施形態におけるフィルタ回路素子の平面透視図
【図３９】本発明の第１０実施形態におけるフィルタ回路素子の側面透視図
【図４０】本発明の第１１実施形態におけるフィルタ回路素子の透視斜視図
【図４１】本発明の第１１実施形態におけるフィルタ回路素子の平面透視図
【図４２】本発明の第１１実施形態におけるフィルタ回路素子の側面透視図
【図４３】本発明の第１２実施形態における回路基板を示す側面透視図
【図４４】本発明の第１３実施形態における高周波無線回路モジュールを示す側面透視図
【図４５】本発明の第１３実施形態における高周波無線回路モジュールの電気系回路を示すブロック図
【図４６】従来例のフィルタ回路素子を示す要部分解斜視図
【図４７】従来例のフィルタ回路素子の等価回路を示す図
【符号の説明】
【０１４１】
100,100A〜100J…フィルタ回路素子、101,102…入出力端子、103,104…接地端子、105…表示マーカ、110…積層素体、111〜118…誘電体層、121…接地電極、122…変形共振器、122a,122b,122c…共振器電極、122g,122i…引き出し電極、123…第１共振器、123a…帯状電極、123c…引き出し電極、124…第３共振器、124a…帯状電極、124c…引き出し電極、125…マルチパス電極、126…波長短縮電極、127…波長短縮電極、128…接地電極、129A,129B…波長短縮電極、131A…第１インピーダンス素子、131B…第２インピーダンス素子、132A…第１キャパシタンス素子、132B…第２キャパシタンス素子、133A,133B…分布定数共振回路、134A,134B,134C…分布定数共振回路、135…分布定数共振回路、136A,136B,136C…分布定数共振回路、137…キャパシタンス素子、141…変形共振器、141a,141b,141c…共振器電極、142…変形共振器、142a,142b,142c…共振器電極、143…共振器、144…変形共振器、144a〜144e…共振器電極、145…変形共振器、145a〜145e…共振器電極、146…変形共振器、146a〜146d…共振器電極、147…変形共振器、147a〜147d…共振器電極、148…変形共振器、148a〜148c…共振器電極、300…回路基板、310…誘電体セラミックス、400…高周波無線回路モジュール、401…モジュール基板、402…シールド部材、412…導体パターン電極、421…ＩＣ、422…受動素子、431…バンドパスフィルタ、432…バラン、441…外部電極、451…アンテナ。
【図１】
2010041268.tif 000003
【図２】
2010041268.tif 000004
【図３】
2010041268.tif 000005
【図４】
2010041268.tif 000006
【図５】
2010041268.tif 000007
【図６】
2010041268.tif 000008
【図７】
2010041268.tif 000009
【図８】
2010041268.tif 000010
【図９】
2010041268.tif 000011
【図１０】
2010041268.tif 000012
【図１１】
2010041268.tif 000013
【図１２】
2010041268.tif 000014
【図１３】
2010041268.tif 000015
【図１４】
2010041268.tif 000016
【図１５】
2010041268.tif 000017
【図１６】
2010041268.tif 000018
【図１７】
2010041268.tif 000019
【図１８】
2010041268.tif 000020
【図１９】
2010041268.tif 000021
【図２０】
2010041268.tif 000022
【図２１】
2010041268.tif 000023
【図２２】
2010041268.tif 000024
【図２３】
2010041268.tif 000025
【図２４】
2010041268.tif 000026
【図２５】
2010041268.tif 000027
【図２６】
2010041268.tif 000028
【図２７】
2010041268.tif 000029
【図２８】
2010041268.tif 000030
【図２９】
2010041268.tif 000031
【図３０】
2010041268.tif 000032
【図３１】
2010041268.tif 000033
【図３２】
2010041268.tif 000034
【図３３】
2010041268.tif 000035
【図３４】
2010041268.tif 000036
【図３５】
2010041268.tif 000037
【図３６】
2010041268.tif 000038
【図３７】
2010041268.tif 000039
【図３８】
2010041268.tif 000040
【図３９】
2010041268.tif 000041
【図４０】
2010041268.tif 000042
【図４１】
2010041268.tif 000043
【図４２】
2010041268.tif 000044
【図４３】
2010041268.tif 000045
【図４４】
2010041268.tif 000046
【図４５】
2010041268.tif 000047
【図４６】
2010041268.tif 000048
【図４７】
2010041268.tif 000049